【手続補正書】
【提出日】平成18年3月23日(2006.3.23)
【手続補正１】
【補正対象書類名】明細書
【補正対象項目名】特許請求の範囲
【補正方法】変更
【補正の内容】
【特許請求の範囲】
【請求項１】
配列番号：３５で表わされるアミノ酸配列と同一もしくは実質的に同一のアミノ酸配列を含有し、かつ配列番号：１、配列番号：２または配列番号：３で表わされるアミノ酸配列と同一もしくは実質的に同一のアミノ酸配列を含有するレセプター蛋白質に結合する能力を有するペプチドもしくはその前駆体またはそのアミドもしくはそのエステルまたはその塩。
【請求項２】
配列番号：３５で表わされるアミノ酸配列と同一もしくは実質的に同一のアミノ酸配列を含有し、かつ配列番号：１、配列番号：２または配列番号：３で表わされるアミノ酸配列と同一もしくは配列番号：１、配列番号：２または配列番号：３で表わされるアミノ酸配列と９０〜９９．９％の相同性を有するアミノ酸配列を含有するレセプター蛋白質に結合する能力を有する請求項１記載のペプチドもしくはその前駆体またはそのアミドもしくはそのエステルまたはその塩。
【請求項３】
配列番号：３５で表わされるアミノ酸配列と同一もしくは実質的に同一のアミノ酸配列を含有し、かつ配列番号：１、配列番号：２または配列番号：３で表わされるアミノ酸配列と同一もしくは実質的に同一のアミノ酸配列を含有するレセプター蛋白質を活性化する能力を有する請求項１または２記載のペプチドもしくはその前駆体またはそのアミドもしくはそのエステルまたはその塩。 
【請求項４】
配列番号：３５で表わされるアミノ酸配列と同一もしくは実質的に同一のアミノ酸配列を含有し、かつ配列番号：１、配列番号：２または配列番号：３で表わされるアミノ酸配列と同一もしくは配列番号：１、配列番号：２または配列番号：３で表わされるアミノ酸配列と９０〜９９．９％の相同性を有するアミノ酸配列を含有するレセプター蛋白質を活性化する能力を有する請求項３記載のペプチドもしくはその前駆体またはそのアミドもしくはそのエステルまたはその塩。
【請求項５】
配列番号：３６で表されるアミノ酸配列と同一もしくは実質的に同一のアミノ酸配列を含有することを特徴とするペプチドもしくはその前駆体またはそのアミドもしくはそのエステルまたはその塩。 
【請求項６】
配列番号：３６で表わされるアミノ酸配列と同一もしくは実質的に同一のアミノ酸配列を含有し、かつ配列番号：１、配列番号：２または配列番号：３で表わされるアミノ酸配列と同一もしくは配列番号：１、配列番号：２または配列番号：３で表わされるアミノ酸配列と９０〜９９．９％の相同性を有するアミノ酸配列を含有するレセプター蛋白質に結合する能力を有する請求項５記載のペプチドもしくはその前駆体またはそのアミドもしくはそのエステルまたはその塩。
【請求項７】 
配列番号：３５または配列番号３６で表わされるアミノ酸配列を含み、かつ配列番号：１、配列番号：２または配列番号：３で表わされるアミノ酸配列を含有するレセプター蛋白質に結合する能力を有する請求項１または５記載のペプチドもしくはその前駆体またはそのアミドもしくはそのエステルまたはその塩。
【請求項８】
ペプチドが、配列番号：１１、１２、１５、１６または４３で表されるアミノ酸配列と同一もしくは実質的に同一のアミノ酸配列を含有するペプチドである請求項１〜７のいずれか１項記載のペプチドもしくはその前駆体またはそのアミドもしくはそのエステルまたはその塩。
【請求項９】
ペプチドが、配列番号：１１、１２、１５、１６または４３で表されるアミノ酸配列を含有するペプチドである請求項８記載のペプチドもしくはその前駆体またはそのアミドもしくはそのエステルまたはその塩。 
【請求項１０】
ペプチドが、配列番号：１１、１２、１５、１６または４３で表されるアミノ酸配列と同一もしくは実質的に同一のアミノ酸配列を有し、分子量が５０００〜１００００であるペプチドである請求項１〜７のいずれか１項記載のペプチドもしくはその前駆体またはそのアミドもしくはそのエステルまたはその塩。 
【請求項１１】
ペプチドが、配列番号：１１、１２、１５、１６または４３で表されるアミノ酸配列を有し、分子量が５０００〜１００００であるペプチドである請求項１０記載のペプチドもしくはその前駆体またはそのアミドもしくはそのエステルまたはその塩。
【請求項１２】
ペプチドが配列番号：３１、３３または３４で表されるアミノ酸配列と同一もしくは実質的に同一のアミノ酸配列を有するペプチドである請求項１〜７のいずれか１項記載のペプチドもしくはその前駆体またはそのアミドもしくはそのエステルまたはその塩。
【請求項１３】
ペプチドが、配列番号：１７、３１、３３または３４で表されるアミノ酸配列を有するペプチドである請求項１２記載のペプチドもしくはその前駆体またはそのアミドもしくはそのエステルまたはその塩。
【請求項１４】
ペプチドが（i）配列番号：１７、３１、３３または３４で表されるアミノ酸配列、（ii）配列番号：１７、３１、３３または３４で表されるアミノ酸配列中の１〜７個のアミノ酸が欠失したアミノ酸配列、（iii）配列番号：１７、３１、３３または３４で表されるアミノ酸配列中の１〜２０個のアミノ酸が付加または挿入されたアミノ酸配列、または（iv）配列番号：１７、３１、３３または３４で表されるアミノ酸配列中の１〜７個のアミノ酸が置換されたアミノ酸配列を含み、（i）配列番号：１、配列番号：２または配列番号：３で表されるアミノ酸配列と同一のアミノ酸配列もしくは配列番号：１、配列番号：２または配列番号：３で表されるアミノ酸配列と９０〜９９．９％の相同性を有するアミノ酸配列を含有するレセプター蛋白質に結合する能力、または（ii）前記蛋白質を活性化する能力を有する請求項１２記載のペプチドもしくはその前駆体またはそのアミドもしくはそのエステルまたはその塩。
【請求項１５】
配列番号１１、１２、１３、１５、１６、１７、３５、３６、４３または４４で表されるアミノ酸配列からなるペプチドもしくはその前駆体またはそのアミドもしくはそのエステルまたはその塩。 
【請求項１６】
前駆体が配列番号：２９で表されるアミノ酸配列と同一もしくは実質的に同一のアミノ酸配列を有するペプチドである請求項１〜７のいずれか１項記載のペプチドの前駆体またはそのアミドもしくはそのエステルまたはその塩。
【請求項１７】
配列番号：２９で表されるアミノ酸配列を有するペプチドまたはそのアミドもしくはそのエステルまたはその塩。
【請求項１８】
実質的に同一のアミノ酸配列が配列番号：３０、３７または３８で表されるアミノ酸配列である請求項１２記載のペプチドの前駆体またはそのアミドもしくはそのエステルまたはその塩。 
【請求項１９】
配列番号：３０、３７または３８で表されるアミノ酸配列を有するペプチドまたはそのアミドもしくはそのエステルまたはその塩。 
【請求項２０】
請求項１〜７のいずれか１項記載のペプチドをコードする塩基配列を含有するＤＮＡを含有するＤＮＡ。
【請求項２１】
配列番号：３１、３３または３４で表されるアミノ酸配列と同一もしくは実質的に同一のアミノ酸配列を有するペプチドをコードする請求項２０記載のＤＮＡ。 
【請求項２２】
配列番号：３１、３３または３４で表されるアミノ酸配列を有するペプチドをコードする請求項２１記載のＤＮＡ。
【請求項２３】
配列番号：３２、３９または４０で表される塩基配列を有する請求項２１記載のＤＮＡ。 
【請求項２４】
配列番号：２９、３０、３７または３８で表されるアミノ酸配列と同一もしくは実質的に同一のアミノ酸配列を有する請求項１〜７のいずれか１項記載のペプチドの前駆体をコードする塩基配列を含有するＤＮＡを含有するＤＮＡ。 
【請求項２５】
配列番号：２９、３０、３７または３８で表されるアミノ酸配列を有するペプチドをコードする塩基配列を含有するＤＮＡを含有する請求項２４記載のＤＮＡ。
【請求項２６】
配列番号：２７、２８、４１または４２で表される塩基配列を含有するＤＮＡを含有する請求項２４記載のＤＮＡ。 
【請求項２７】
請求項２０記載のＤＮＡを含有する組換えベクター。 
【請求項２８】
請求項２７記載の組換えベクターで形質転換された形質転換体。 
【請求項２９】
請求項２８記載の形質転換体を培養し、請求項１〜７のいずれか１項記載のペプチドを生成せしめることを特徴とする請求項１〜７のいずれか１項記載のペプチドもしくはその前駆体またはそのアミドもしくはそのエステルまたはその塩の製造法。 
【請求項３０】
請求項１〜７のいずれか１項記載のペプチドまたはその前駆体に対する抗体。
【請求項３１】
配列番号：３１、３３、３５または４４で表されるアミノ酸配列を有するペプチドに対する抗体。
【請求項３２】
請求項３０または３１記載の抗体を含有してなる診断薬。 
【請求項３３】
請求項１〜７のいずれか１項記載のペプチドもしくはその前駆体またはそのアミドもしくはそのエステルまたはその塩を含有してなる医薬。 
【請求項３４】
記憶機能改善剤、食欲調節剤、子宮機能調節剤、腎臓機能調節剤、前立腺機能調節剤、精巣機能調節剤または骨格筋機能調節剤である請求項３３記載の医薬。 
【請求項３５】
請求項１〜７のいずれか１項記載のペプチドもしくはその前駆体またはそのアミドもしくはそのエステルまたはその塩を用いることを特徴とする、配列番号：１、２または３で表わされるアミノ酸配列と同一もしくは実質的に同一のアミノ酸配列を含有するレセプター蛋白質に対するアゴニストまたはアンタゴニストのスクリーニング方法。